(57)【要約】      （修正有）【課題】プロジェクタのズーム調整値などを利用してレジストレーションずれ補正可能点分布を変化させることにより、複雑な演算を行うことなく適切な粒度でレジストレーション調整を行うことが可能となる方法を提案する。【解決手段】レジストレーション調整点制御部がズーム制御部に保持されている情報を利用し、レジストレーション調整可能な点の粒度を制御することを特徴とする。【選択図】図１
2019184895.tif 000002
【特許請求の範囲】
【請求項１】
投影装置であって、
投影画像の大きさを調整するズーム制御部を備え、
前記投影装置のレジストレーション調整を行うためのレジストレーション調整部を備え、
前記レジストレーション調整実行中に調整可能な位置の情報を制御するレジストレーション調整点制御部を備え、
前記レジストレーション調整点制御部は、ズーム調整部に保持されている情報を利用することを特徴とする投影装置。
【請求項２】
投影画像のフォーカスを調整するフォーカス制御部を備え、
前記レジストレーション調整点制御部は、前記フォーカス調整部に保持されている情報を利用することを特徴とする請求項１に記載の投影装置。
【請求項３】
前記投影装置から投影面までの距離を測定可能な距離測定手段を備え、
前記レジストレーション調整点制御部は、前記距離測定手段により取得した情報を利用することを特徴とする請求項１または２に記載の投影装置。
【請求項４】
投影面の画像情報を取得可能な撮像手段を備え、
前記レジストレーション調整点制御部は、前記撮像手段により取得した情報を利用することを特徴とする請求項１乃至３のいずれか１項に記載の投影装置。
【発明の詳細な説明】
【技術分野】
【０００１】
本発明は投影装置の制御方法に関する。
【背景技術】
【０００２】
近年、プロジェクタの高解像度化が進んでおり、プロジェクタが投影する画像もより高精細なものを利用することが多くなっている。そのため、プロジェクタが画像を投影する際の色ずれを抑制するレジストレーション調整機能を高精度に行うことがより重要となってきている。
【０００３】
レジストレーション機能によりレジずれの調整をユーザーが行う場合、プロジェクタに搭載する液晶パネルの画素全てに対して設定を行うのは困難であるため、調整しやすいように調整可能単位をある程度大きく設定する必要がある。しかし、調整可能単位が大きすぎると、プロジェクタの高解像度化が進んでいる事もあり、投影画像の画質に影響するような細かな色ずれを調整することができない。したがって、レジストレーション調整で調整可能単位を適切に設定することが重要である。
【０００４】
特許文献１では、レジストレーション調整を行う際に、ズーム量やレンズシフト量を考慮してレジストレーション補正を行う技術が開示されている。
【０００５】
特許文献２では、レジストレーション調整を行う際に、プロジェクタ投影画面の外縁周辺には調整用のチャートを表示させず、レジストレーション調整による効果を確認しやすくなる技術が開示されている。
【先行技術文献】
【特許文献】
【０００６】
【特許文献１】特開２０１０−１０３８８６号公報
【特許文献２】特開２００９−３１４４２号公報
【発明の概要】
【発明が解決しようとする課題】
【０００７】
特許文献１に開示されている技術では、ズーム量やレンズシフト量を考慮してレジストレーション補正の計算を行うため、光学系の調整量変化に応じた光学色収差の変化に対応して適切にレジストレーション量を計算することができるが、操作者がレジストレーション調整を行う際の調整可能単位は変化しないため、操作者がより細かく調整を行いたい場合に対応できない。
【０００８】
特許文献２に開示されている技術では、調整の確認が困難である調整点を間引くことによりレジストレーション調整時間削減され調整結果の確認もしやすくなるが、操作者がより細かくレジストレーション調整を行いたい場合には対応できない。
【０００９】
そこで本発明の目的は、レジストレーション調整を行う際に、プロジェクタのズームやフォーカスなどの調整値に応じて調整可能な点の位置や数を変化させ、レジストレーション調整を行いやすくすることである。
【課題を解決するための手段】
【００１０】
本発明の投影装置の一例は、投影画像の大きさを調整するズーム制御部を備え、前記投影装置のレジストレーション調整を行うためのレジストレーション制御部を備え、前記レジストレーション調整実行中に調整可能な位置の情報を制御するレジストレーション調整点制御部を備え、前記レジストレーション調整点制御部は、ズーム調整部に保持されている情報を利用することを特徴とする。
【００１１】
また、本発明の投影装置の一例は、投影画像のフォーカスを調整するフォーカス調整部を備え、前記レジストレーション調整点制御部は、前記フォーカス調整部に保持されている情報を利用することを特徴とする。
【００１２】
また、本発明の投影装置の一例は、前記投影装置から投影面までの距離を測定可能な距離測定手段を備え、前記レジストレーション調整点制御部は、前記距離測定手段により取得した情報を利用することを特徴とする。
【００１３】
また、本発明の投影装置の一例は、投影面の画像情報を取得可能な撮像手段を備え、前記レジストレーション調整点制御部は、前記撮像手段により取得した情報を利用することを特徴とする。
【００１４】
本発明の他の目的及び特徴は、以下に記載の実施例にて説明される。
【発明の効果】
【００１５】
本発明によれば、実現のために特別な機器を必要とせず、複雑な計算も不要なプロジェクタのレジストレーション調整可能単位を制御する方法を提供することができる。
【図面の簡単な説明】
【００１６】
【図１】実施例１におけるプロジェクタのレジストレーション調整時の制御方法を示すフローチャートである。
【図２】実施例１におけるプロジェクタの構成を示すブロック図である。
【図３】実施例１におけるレジストレーション調整実行中のプロジェクタを示す。
【図４】実施例１におけるプロジェクタのレジストレーション調整点制御の例を示す。
【図５】実施例２におけるプロジェクタのレジストレーション調整時の制御方法を示すフローチャートである。
【図６】実施例２におけるプロジェクタの構成を示すブロック図である。
【発明を実施するための形態】
【００１７】
以下、本発明の実施例について図を用いて詳細に説明する。
【００１８】
［実施例１］（ズームに連動）
まず、図２を参照して、本発明の実施例１におけるプロジェクタ１００の構成および動作について説明する。図２は、本実施例におけるプロジェクタ１００の構成を示すブロック図である。
【００１９】
制御部１０４は、プロジェクタ１００の外部からのプロジェクタ１００に対する操作入力に基づいて、各種設定や動作の制御および保持を行う。ここで操作入力とは、例えばリモコンによる操作や操作パネルによる操作である。また、投影光学系１０３が保持するズーム調整機構の制御を行うズーム制御部１０８を含む。
【００２０】
プロジェクタ１００は、外部機器からの映像信号を映像信号受信部１０１で受け取る。映像処理部１０２は、映像信号受信部１０１から受け取った映像信号に対して、制御部１０４の設定に応じて映像信号の明るさ変更や色度調整などの画像処理を行う。また映像処理部１０２は、必要に応じて、メニュー表示やマーカー表示など、映像信号と重畳させて表示を行う場合の画像合成処理を行う。投影光学系１０３は、映像処理部１０２が作成した画像を投影する。
【００２１】
また、プロジェクタ１００はレジストレーション調整を実施するための演算やその設定値の保持を行うレジストレーション調整部１０５を有する。
【００２２】
レジストレーション調整部１０５は、レジストレーション調整値保持部１０６とレジストレーション調整点制御部１０７から構成される。レジストレーション調整部１０５は、プロジェクタのレジストレーションずれ（以下レジずれと表記）を補正し、補正値をレジストレーション補正値保持部１０６に保持する。また、レジストレーション補正点制御部１０７は、プロジェクタ１００の投影画面上でレジずれ補正を行う事が可能なレジずれ補正点の制御を行う。
【００２３】
続いて、図１乃至図４を用いて、本実施例におけるプロジェクタ１００の動作について説明する。図１は本実施例におけるプロジェクタ動作を示すフローチャートである。図３は投影中のプロジェクタ１００とレジずれ補正用チャート１１０ａとの関係を表す。図４はプロジェクタ１００でレジずれ補正を行う際の投影画面の一例を示す。
【００２４】
本実施例のプロジェクタ１００のレジストレーション調整部１０５は、図1に示すような流れでレジずれ補正を行う。まず、操作者の操作入力等によりプロジェクタ１００がレジずれ補正開始の要求を受け付けると、制御部１０４はレジストレーション調整部１０５にレジストレーション調整実行開始を指示する（S１００）。続いて、レジストレーション補正点制御部１０７は、ズーム制御部１０８から現在のズーム調整値を取得し、その情報を元に投影画面上でレジずれ補正可能な点の分布を決定する（S１０１）。
【００２５】
続いて、レジストレーション調整部１０５はレジずれ補正可能な点の分布に適した調整チャートを表示するよう制御部１０４に依頼する（S１０２）。続いてズーム調整が実施されたかどうかの判定を行う（S１０３）。ズーム調整が実施された場合、レジストレーション補正点制御部１０７は必要に応じて投影画面上でレジずれ補正を行う点の数と位置の計算を行い、レジずれ補正可能点の分布を再度決定する（S１０１）。レジずれ補正が終了した場合、レジストレーション調整を終了する（S１０５）。
【００２６】
以下、具体例を用いて本実施例におけるプロジェクタ１００の動作を説明する。図４aは、ズーム調整値を最も投影画面が小さくなるように調整した状態の投影画面であり、プロジェクタ１００がレジずれ補正用チャート１１０aを表示し、レジずれ補正点１１１aが選択されている状態である。レジずれ補正用チャート１１０aの格子部分は、それぞれレジストレーション補正点制御部１０７が決定したレジずれ補正可能な点である。またダイアログ１１２はレジずれ補正点１１１aの現在のレジずれ補正値を表示している。
【００２７】
このとき、最も投影画面が小さくなるように調整されているズーム調整値を、投影画面が大きくなる方向に調整したとする（S１０３）。レジストレーション補正点制御部１０７は、ズーム調整値変化と連動しレジずれ補正点分布の計算を行う（S１０１）。そして、レジずれ補正点分布の計算結果に適した調整用チャート１１０ｂを表示する（S１０２）。
【００２８】
なお、図４ｂは最も投影画面が大きくなるようにズーム調整を行った時の投影画面の様子を表している。
【００２９】
レジストレーション補正点制御部１０７は、ズーム制御部１０８によるズーム調整値の変化と連動して、投影画面が小さいと考えられるほどレジずれ補正点の分布の粒度を粗くし、投影画面が大きいと考えられるほどレジずれ補正点の分布を細かくするようにレジずれ補正点分布の計算を行う。本実施例では、最も投影画面が小さくなるようにズーム調整値が調整されている時はレジずれ補正用チャート１１０aが示すように縦５×横５のレジずれ補正可能点を持つ。また、最も投影画面が大きくなるようにズーム調整値が調整されている時は、レジずれ補正用チャート１１０ｂが示すように縦７×横７のレジずれ補正可能点を持つようにレジずれ補正点分布の計算を行う。本実施例では、レジずれ補正点分布を変化させるタイミングは、ズーム調整値最小から最大までを三分割し、その閾値を跨ぐ毎に、縦５×横５、縦６×横６、縦７×横７と変化させる。
【００３０】
ズーム調整値が大きいほど操作者から見えるプロジェクタ１００の投影画面は大きく、投影画面が小さな場合と比較して、レジずれによる投影画像の画質への影響が出やすくなっていると考えられる。そのため、ズーム調整値が大きいほど、より細かなレジずれ補正が可能になるように本実施例で述べたようにレジずれ補正点分布の制御を行う。
【００３１】
なお、本実施例ではレジずれ補正実行開始時とレジずれ補正実行中にズーム調整値が変化時にレジずれ補正点分布の計算を行ったが、いずれか一方のみで行うとしてもよい。
【００３２】
また、本実施例ではレジずれ補正チャートを表示しながらレジずれ補正を行ったが、例えばプロジェクタに入力信号を入れた状態などレジずれ補正チャートを表示しない場合も含む。
【００３３】
また、レジずれ補正点分布の細かさや変化させるタイミングは本実施例で説明した方法に限らず、あらゆる場合を含む。
【００３４】
また、本実施例で説明したズーム調整値によるレジずれ補正点分布の計算を行うか否かを予め設定しておき、必要に応じて制御を実施するか選択できる構成としてもよい。
【００３５】
本実施例によれば、ズーム調整値を考慮してレジずれ補正点の分布を計算することにより、投影画面の大きさに応じてレジずれ補正点分布の計算を行うため、適切な粒度でレジずれ補正を行うことが可能となる。
【００３６】
［実施例２］（ズームとフォーカス／カラーセンサ等に連動）
次に、図５乃至図６を用いて本発明の実施例２におけるプロジェクタ２００の構成及び動作について説明する。図５は本実施例におけるプロジェクタ動作を示すフローチャートである。図６は本実施例におけるプロジェクタ２００の構成を表すブロック図である。
【００３７】
図５において、図１と同一の制御を行う場合は同一の符号を付し、それらの説明は省略する。同様に、図６において図２と同一の構成要素に関しては同一の符号を付し、それらの説明は省略する。
【００３８】
本実施例におけるプロジェクタ２００の制御部２０４は、投影光学系２０３が保持するフォーカス調整機構の制御を行うフォーカス制御部２０９を保持する。
【００３９】
また、本実施例のプロジェクタ２００のレジストレーション調整部２０５は、図５に示すような流れでレジずれ補正を行う。
【００４０】
図５において、ズーム制御部１０８が保持するズーム調整値とフォーカス制御部２０９が保持するフォーカス調整値を考慮してレジずれ補正点分布の計算を行う（S２０１）。フォーカス調整値とズーム調整値によるレジずれ補正点密度の関係は、制御部２０４が計算を行うか、またはあらかじめレジストレーション補正点制御部２０７が保持している。フォーカス調整値を参照することにより、プロジェクタ２００から投影画面までの距離を知ることができる。
【００４１】
レジストレーション補正点制御部２０７は、ズーム調整値及びフォーカス調整値の変化に連動して、レジずれ補正点分布の計算を行う。（S２０３）投影画面が小さくプロジェクタ２００から投影画面までの距離が近いほどレジずれ補正点の分布の粒度を粗くし、投影画面が大きくプロジェクタ２００から投影画面までの距離が遠いほどレジずれ補正点の分布を細かくするように、レジずれ補正点分布の計算を行う。（S２０１）
フォーカス調整値を用いることによりプロジェクタ２００と投影画面の距離を考慮することができるため、フォーカス調整値とズーム調整値を用いることにより、レジずれ補正点分布の計算をより正確に行うことができ、適切な粒度でレジずれ補正を行うことが可能となる。
【００４２】
なお、本実施例ではレジずれ補正実行開始時とレジずれ補正実行中にズーム調整値及びフォーカス調整値が変化時にレジずれ補正点分布の計算を行ったが、いずれか一方のみで行うとしてもよい。また、ズーム調整値とフォーカス調整値を必ずしも両方用いらなくてもよく、いずれか一方のみ使用する構成でもよい。
【００４３】
また、本実施例ではズーム調整値とフォーカス調整値を用いたが、カラーセンサや赤外センサなどと組み合わせてもよく、プロジェクタと投影画面との距離や投影画面の大きさに関連する情報を取得可能なあらゆる組合せを含み、それらから取得した情報を用いてレジずれ補正点の分布を変化させるあらゆる構成を含む。
【００４４】
また、レジずれ補正点分布の細かさや変化させるタイミングは、ズーム調整値及びフォーカス調整値、またプロジェクタと投影画面との距離や投影画面の大きさに関連する情報を用いたあらゆる場合を含む。
【００４５】
また、本実施例で説明したズーム調整値およびフォーカス調整値によるレジずれ補正点分布の計算を行うか否かを予め設定しておき、必要に応じて制御を実施するか選択できる構成としてもよい。
【００４６】
本実施例によれば、ズーム調整値やフォーカス調整値等を考慮してレジずれ補正点の分布を計算することにより、投影画面の大きさやプロジェクタから投影画面までの距離に応じてレジずれ補正点分布の計算を行うため、適切な粒度でレジずれ補正を行うことが可能となる。
【符号の説明】
【００４７】
１００ プロジェクタ
１０５ レジストレーション調整部
１０６ レジストレーション補正値保持部
１０７ レジストレーション補正点制御部
【図１】
2019184895.tif 000003
【図２】
2019184895.tif 000004
【図３】
2019184895.tif 000005
【図４】
2019184895.tif 000006
【図５】
2019184895.tif 000007
【図６】
2019184895.tif 000008